(57)【特許請求の範囲】
【請求項１】
室内機と室外機と両者を接続配管を用いて接続して構成し、前記室外機の液側およびガス側のどちらかに３方弁を装備し、もう一方に２方弁を装備する空気調和機において、据え付け工事の際に前記３方弁から二酸化炭素あるいは炭化水素ガスを前記室内機および接続配管中に導入し、前記室内機および接続配管中の空気を前記２方弁手前から大気放出し、前記二酸化炭素あるいは炭化水素ガスと置換した後、前記３方弁に気体分離膜を具備した治具を取り付けた後、前記室外機中の冷媒ガスを室内機および接続配管中に導入して、前記取り付けた治具を介して置換された二酸化炭素あるいは炭化水素ガスを排出させることを特徴とする空気調和機の施工方法。
【請求項２】
室内機と室外機と両者を接続配管を用いて接続して構成し、前記室外機の液側およびガス側がともに３方弁を装備する空気調和機において、据え付け工事の際に液側あるいはガス側どちらか一方の第１の３方弁から二酸化炭素あるいは炭化水素ガスを前記室内機および接続配管中に導入して、前記室内機および接続配管中の空気を他方の第２の３方弁から大気放出し、前記二酸化炭素あるいは炭化水素ガスと置換した後、前記第２の３方弁に気体分離膜を具備した治具を取り付けた後、前記室外機中の冷媒ガスを前記室内機および接続配管中に導入して、前記取り付けた治具を介して置換された二酸化炭素あるいは炭化水素ガスを排出させることを特徴とする空気調和機の施工方法。
【請求項３】
気体分離膜がポリイミド膜あるいは含水ゲル膜からなることを特徴とする請求項１または２に記載の空気調和機の施工方法。
【発明の詳細な説明】
【０００１】
【発明の属する技術分野】
本発明は、接続配管にて室内機と室外機を接合させるセパレート型空気調和機の施工方法に関する。
【０００２】
【従来の技術】
従来の空気調和機施工方法は、室外機本体にエアパージ用として冷媒ガスを規定量よりも余分に充填し、その冷媒を利用して液側２方弁から接続配管と室内機をエアパージし、ガス側３方弁のサービスポートと呼ばれるバルブより冷媒を大気放出して行っていた。
【０００３】
また、ガス側３方弁のサービスポートと呼ばれるバルブより真空ポンプを使用して接続配管と室内機中を十分に減圧した後、液側２方弁から冷媒を接続配管と室内機に導入することによって行っていた。
【０００４】
【発明が解決しようとする課題】
しかしながら、近年オゾン層の破壊、地球温暖化など環境に対する規制の高揚により空地調和機の設置時にオゾン層破壊係数、地球温暖化係数の高い冷媒を大気放出することは問題である。それに代わり得る方法として真空ポンプを使用した施工方法を指導しているが、たとえば屋根上等の設置場所の悪い条件ではなかなか真空ポンプの利用は困難である。また、真空ポンプ使用方式は室外機の冷媒を使用する方式に比べて設置に時間がかかっていた。
【０００５】
本発明は、上記従来の問題点を鑑みて、環境への影響を考慮し、簡易な空気調和機の施工方法を提供することを目的とする。
【０００６】
【課題を解決するための手段】
上記課題を解決するために本発明は、一旦二酸化炭素あるいは炭化水素ガスで室内機および接続配管中の空気を置換した後、室外機中の冷媒ガスで室内機および接続配管中に存在する置換ガスを冷媒ガスと置換し、置換ガスは取り付けた気体分離膜を介して選択的に排出させるので、オゾン層破壊係数、地球温暖化係数の小さな置換ガスを大気放出するにとどまる。
【０００８】
【発明の実施の形態】
上記の課題を解決するための請求項１記載の発明は、室外機の液側およびガス側のどちらかに３方弁を装備し、もう一方に２方弁を装備する空気調和機において、据え付け工事の際に３方弁から二酸化炭素あるいは炭化水素ガスを室内機および接続配管中に導入し、室内機および接続配管中の空気を２方弁手前から大気放出した後、前記３方弁に気体分離膜を具備した治具を取り付けた後、室外機中の冷媒ガスを室内機および接続配管中に導入して、取り付けた治具を介して二酸化炭素あるいは炭化水素ガスを排出することで空気調和機のエアパージ施工ができる。
【００１１】
請求項２記載の発明は、室外機の液側およびガス側がともに３方弁を装備する空気調和機において、据え付け工事の際にまず液側あるいはガス側どちらか一方の３方弁Ａから二酸化炭素あるいは炭化水素ガスを室内機および接続配管中に導入し、他方の３方弁Ｂから空気を大気放出させ、一旦二酸化炭素あるいは炭化水素ガスで室内機および接続配管中を置換した後、他方の３方弁Ｂに気体分離膜を具備してなる治具を取り付けた後、室外機中の冷媒ガスを室内機および接続配管中に導入し、室内機および接続配管中の置換ガスを他方の３方弁Ｂに取り付けた治具を介して排出することで空気調和機のエアパージ施工ができる。
【００１２】
また請求項３記載の発明は、気体分離膜としてポリイミド膜あるいは含水ゲル膜から構成されるものを使用することで気体分離作用に優れた空気調和機のエアパージ施工ができる。
【００１３】
【実施例】
以下、本発明の実施例について図面を参照して説明する。
【００１４】
（実施例１）
図１は、第１，２の発明の実施例を示す空気調和機である。図中、１は圧縮機、２は室外熱交換器、３は絞り装置、４は液側２方弁、５は２方弁のネジ部、６は室内熱交換器、７はガス側３方弁、８は３方弁のネジ部、９は気体分離膜を具備した治具、１０は内外接続配管で、１〜５と７，８の構成部品は室外機に内蔵されている。また、室内機は構成部品の室内熱交換器６にて表している。
【００１５】
いま、室内機と室外機を内外接続配管１０にて接続し、室外機のガス側３方弁７に気体分離膜（ポリイミド）を具備した治具９を取り付けた後、ガス側３方弁７のネジ部９を開き、次に液側２方弁４のネジ部５を徐々に開くことによって、室外機本体中の冷媒は接続配管および室内機中に導入されるとともに系内の圧力が上昇する。気体分離膜は冷媒よりも空気（窒素、酸素）を選択的に透過させる特性を有するために、室内機および接続管内の空気は上昇した内部圧力と外部との分圧差および気体分離選択性に促進されて気体分離膜を介して選択的に大気放出される。また、液側２方弁４のネジ部５を開き、ガス側３方弁７のネジ部８を開いてもよい。
【００１６】
第１の発明では、気体分離膜を具備した治具の取り付け方法は特に限定されるものではない。したがって、据え付け時に着脱可能な形態で気体分離膜を具備した治具を取り付けて、冷媒が有する圧力と気体分離選択性とを利用したエアパージ方式は全て含まれる。また、第２の発明では、実施例１において一方に２方弁、他方に３方弁の例を示したが、両方が３方弁の場合も本発明に含まれる。
【００１７】
（実施例２）
図２は、第３の発明の実施例の空気調和機を示す。図中、１１は圧縮機、１２は室外熱交換器、１３は絞り装置、１４は液側２方弁、１５は２方弁のネジ部、１６は室内熱交換器、１７はガス側３方弁、１８は３方弁のネジ部、１９は気体分離膜（含水ゲル）を具備した治具、２０は治具１９用バルブ、２１は二酸化炭素ボンベ、２２は二酸化炭素ボンベ用バルブ、２３は内外接続配管で、１１〜１５と１７、１８の構成部品は室外機に内蔵されている。また、室内機は構成部品の室内熱交換器１６にて表している。
【００１８】
室内機と室外機を内外接続配管２３にて接続し、室外機のガス側３方弁１７にバルブ２０を介した気体分離膜を具備した治具１９とバルブ２２を介した二酸化炭素ボンベ２１を取り付けた後、まず液側２方弁１４と接続配管２３との継ぎ手ナットを軽く緩めた後、ガス側３方弁１７のネジ部１８を開き、次にバルブ２２を開くと二酸化炭素ボンベ２１から二酸化炭素が内外接続配管２３と室内機中に導入される。この時、バルブ２２を２〜３回開閉させて充分に空気と二酸化炭素との置換を行った後、先ほど緩めた継ぎ手ナットを元のように締め付け、バルブ２２も閉じる。次にバルブ２０を開いてから液側２方弁１４のネジ部を開くと、内外接続配管２３と室内機中に冷媒が室外機本体より導入される。その後系内の圧力は上昇する。気体分離膜は冷媒よりも二酸化炭素を選択的に透過させる特性を有するために、室内機および接続管内の二酸化炭素は上昇した内部圧力と外部との分圧差および気体分離選択性に促進されて気体分離膜を介して選択的に大気放出される。
【００１９】
（実施例３）
図３は、第４の発明の実施例の空気調和機を示す。図中、２４は圧縮機、２５は室外熱交換器、２６は絞り装置、２７は液側３方弁、２８は液側３方弁のネジ部、２９は二酸化炭素ボンベ、３０は二酸化炭素ボンベ用バルブ、３１は室内熱交換器、３２はガス側３方弁、３３はガス側３方弁のネジ部、３４は気体分離膜を具備した治具、３５は治具３４用バルブ、３６は内外接続配管で、２４〜２８と３２、３３の構成部品は室外機に内蔵されている。また、室内機は構成部品の室内熱交換器３１にて表している。
【００２０】
室内機と室外機を内外接続配管３６にて接続し、室外機の液側３方弁２７にバルブ３０を介して二酸化炭素ボンベ２９を取り付けた後、まず液側３方弁２７のネジ部２８を開いてからバルブ３０を開き、内外接続配管３６と室内機中に二酸化炭素を導入して内部圧力が上昇する。内圧が２〜５ｋｇ／ｃｍ2 に達したと思われるところでバルブ３０を閉じ、ガス側３方弁３２のポート（バルブ３５と気体分離膜を具備した治具３４を取り付け前の状態）から内外接続配管３６と室内機中の空気と二酸化炭素の混合気体を排出して大気圧状態とする。次に再度にバルブ３０を開き、内外接続配管３６と室内機中に二酸化炭素を導入して内圧が上昇するので内圧が２〜５ｋｇ／ｃｍ2 に達したと思われるところでバルブ３０を閉じ、ガス側３方弁３２のポートから内外接続配管３６と室内機中の空気と二酸化炭素の混合気体を排出して大気圧状態とする。この操作を３、４回繰り返すことによって内外接続配管３６と室内機中はほぼ完全に二酸化炭素ガスの状態となる。そこで、バルブ３０の付いた二酸化炭素ボンベ２９をともに外し、ガス側３方弁３２のポートにバルブ３５とともに気体分離膜を具備した治具３４を取り付けた後、液側３方弁２７のネジ部２８を開き、室外機本体より冷媒を内外接続配管３６と室内機中へと導入する。その後系内の圧力は上昇する。気体分離膜は冷媒よりも二酸化炭素を選択的に透過させる特性を有するために、室内機および接続管内の二酸化炭素は上昇した内部圧力と外部との分圧差および気体分離選択性に促進されて気体分離膜を介して選択的に大気放出される。
【００２１】
実施例２，３では二酸化炭素ガスを使用して、内外接続配管と室内機中の空気置換を行ったが、本発明ではその他低沸点の炭化水素ガスでも良く、たとえばメタン、エタン、プロパン、イソブタン等が使用できる。
【００２２】
実施例１では気体分離膜として、ポリイミド膜を、また、実施例２，３では含水ゲル膜を使用したが、使用に際して特に用途限定されるものではない。しかし、優れた気体分離機能を有する膜として、本発明に適用可能なものはポリイミド膜あるいは含水ゲル膜であった。また、含水ゲル膜とは、架橋構造を有するビニルアルコール−アクリル酸塩共重合体膜であり、これにガスキャリヤー水溶液を吸収させて使用するものである。また、形態としては平膜状または中空糸状の多孔質体であることが好ましい。
【００２３】
【発明の効果】
上記実施例から明らかなように、請求項１，２記載の発明は、一旦室内機および接続配管中の空気を二酸化炭素あるいは炭化水素ガスに置換した後、室外機中の冷媒ガスを室内機および接続配管中に導入して、室内機および接続配管中の置換ガスを気体分離膜を介して排出するもので、大気放出するのは冷媒よりもオゾン破壊係数、温暖化係数の小さな置換ガスに抑えられた。
【００２５】
また、請求項３記載の発明は、気体分離膜としてポリイミド膜あるいは含水ゲル膜を選択するものであり、優れた気体選択性が得られた。
【図面の簡単な説明】
【図１】本発明の実施例１によって行われる空気調和機の施工方法構成図
【図２】本発明の実施例２によって行われる空気調和機の施工方法構成図
【図３】本発明の実施例３によって行われる空気調和機の施工方法構成図
【符号の説明】
１  圧縮機
２  室外熱交換機
３  絞り装置
４  液側２方弁
５  液側２方弁のネジ部
６  室内熱交換機
７  ガス側３方弁
８  ガス側３方弁のネジ部
９  気体分離膜を具備した治具
１０  内外接続配管
１１  圧縮機
１２  室外熱交換機
１３  絞り装置
１４  液側２方弁
１５  液側２方弁のネジ部
１６  室内熱交換機
１７  ガス側３方弁
１８  ガス側３方弁のネジ部
１９  気体分離膜を具備した治具
２０  バルブ
２１  二酸化炭素ボンベ
２２  バルブ
２３  内外接続配管
２４  圧縮機
２５  室外熱交換機
２６  絞り装置
２７  液側３方弁
２８  液側３方弁のネジ部
２９  二酸化炭素ボンベ
３０  バルブ
３１  室内熱交換機
３２  ガス側３方弁
３３  ガス側３方弁のネジ部
３４  気体分離膜を具備した治具
３５  バルブ
３６  内外接続配管
【図１】
0003637716.tif 000002
【図２】
0003637716.tif 000003
【図３】
0003637716.tif 000004